(57)【特許請求の範囲】
【請求項１】
横方向で間隔のあいたアームレスト（２３）であってそれぞれに長手方向に延在するソケット部（２８）が形成されたアームレスト（２３）と、トレイシステム（３０）と、を有する子供の幼児椅子のための複数トレイシステム（３０）であって、
後方に延在する２つのトレイ柱部（３５）であってそれぞれ前記アームレスト（２３）の前記ソケット部（２８）と整列可能な２つのトレイ柱部（３５）が形成された第１トレイ部材（３２）であって、前記トレイ柱部（３５）が前記ソケット部（２８）内で受けられるときに当該第１トレイ部材（３２）の位置が前記アームレスト（２３）に対して長手方向で調節可能である第１トレイ部材（３２）と、
前記第１トレイ部材（３２）上に取付可能な第２トレイ部材（４０）であって前記第１及び第２トレイ部材（３２、４０）が前記アームレスト（２３）に対して共に位置的に調節可能である第２トレイ部材（４０）と、
を備え、
前記第１トレイ部材（３２）は、前方部分において位置調節作動機構（５０）を有し、前記アームレスト（２３）に対する前記第１トレイ部材（３２）の位置調節を作動させ、
前記第２トレイ部材（４０）には、ノッチ部（４２）が形成され、前記位置調節作動機構（５０）が当該第２トレイ部材（４０）を介して外方に突出することを可能とし、当該第２トレイ部材（４０）が前記第１トレイ部材（３２）上に取り付けられているときに前記位置調節作動機構（５０）の作動部材（５２）であって当該位置調節作動機構（５０）の作動を引き起こす作動部材へのアクセスを可能とすることを特徴とする複数トレイシステム。
【請求項２】
前記第２トレイ部材（４０）は、横方向で間隔のあいた一対のラッチ部材（４３）であって前記第１トレイ部材（３２）と係合して当該第２トレイ部材（４０）を前記第１トレイ部材（３２）に固定するために位置付けられている一対のラッチ部材（４３）を有することを特徴とする請求項１に記載の複数トレイシステム。
【請求項３】
前記ラッチ部材（４３）は、係合位置及び開放位置の間における横方向のスライド運動のために取り付けられており、
前記ラッチ部材（４３）は、前記係合位置に向けて付勢されていることを特徴とする請求項２に記載の複数トレイシステム。
【請求項４】
シート部分（２２）と、横方向に間隔のあいた２つのアームレスト（２３）と、を有するシート部材（２０）と、
前記アームレスト（２３）に取外し可能に結合された下部トレイ（３２）と、前記下部トレイ（３２）よりも大型であり前記下部トレイ（３２）に取外し可能に結合された上部トレイ（４０）と、を有し、
前記下部トレイ（３２）は、前記シート部材（２０）に対して調節可能であり、
前記上部トレイ（４０）は、前記シート部材（２０）に対して前記下部トレイ（３２）と共に調節可能であり、
前記下部トレイ（３２）は、前記シート部材（２０）に対する前記下部トレイ（３２）の位置を調節するために前方部分において位置調節作動機構（５０）を有し、
前記上部トレイ（４０）には、ノッチ部（４２）が形成されており、前記位置調節作動機構（５０）の作動部材（５２）であって当該位置調節作動機構（５０）の作動を引き起こす作動部材が当該上部トレイ（４０）を介して外方に突出することを可能とし、当該上部トレイ（４０）が前記下部トレイ（３２）上に取り付けられるときにアクセス可能であることを特徴とする幼児椅子。
【請求項５】
横方向に間隔のあいた２つのアームレスト（２３）であってそれぞれに長手方向に延在するソケット部（２８）が形成された２つのアームレスト（２３）を有するシート部材（２０）と、
後方に延在するトレイ柱部（３５）であって前記ソケット部（２８）と移動可能に接続されるトレイ柱部（３５）を有するトレイシステム（３０）であって当該トレイシステム（３０）が前記シート部材（２０）に対して調節可能であるトレイシステム（３０）と、
前記トレイシステム（３０）から下方に延在する保持ホーン部材（３９）であって当該保持ホーン部材（３９）の位置が前記シート部材（２０）に対して前記トレイシステム（３０）と共に調節可能である保持ホーン部材（３９）と、
を備え、
前記トレイシステム（３０）及び前記シート部材（２０）を相互に係合する位置調節作動機構（５０）であって前記トレイシステム（３０）を前記シート部材（２０）に対して複数の選択可能な位置の１つに選択的に位置付ける位置調節作動機構（５０）をさらに備え、
前記位置調節作動機構（５０）は、前記トレイシステム（３０）の前方中央位置に位置付けられた作動部材（５２）を有し、
前記トレイシステム（３０）は、下部トレイ（３２）と、前記下部トレイ（３２）上に取り付けられて前記下部トレイ（３２）と共に前記シート部材（２０）に対して移動可能な上部トレイ（４０）と、を有し、
前記作動部材（５２）は、前記下部トレイ（３２）上に支持されており、
前記上部トレイ（４０）は、前方中央部分に形成されたノッチ部（４２）を有し、前記作動部材（５２）は、前記上部トレイ（４０）が前記下部トレイ（３２）上に取り付けられるときに当該作動部材（５２）へのアクセスのために、前記上部トレイ（４０）を介して前記下部トレイ（３２）から突出することを特徴とする幼児椅子。
【請求項６】
前記上部トレイ（４０）は、
横方向に間隔のあいた一対のラッチ部材（４３）であって前記下部トレイ（３２）と係合して前記上部トレイ（４０）を前記下部トレイ（３２）に固定するために位置付けられた一対のラッチ部材（４３）を有し、
前記ラッチ部材（４３）は、係合位置及び開放位置の間における横方向のスライド移動のために取り付けられ、
前記ラッチ部材（４３）は、前記係合位置に向けて付勢されていることを特徴とする請求項５に記載の幼児椅子。
【請求項７】
各前記ラッチ部材（４３）は、前記下部トレイ（３２）に係合する時、カム面と接触することによって前記付勢に抗することが強制されるように構成されることを特徴とする請求項６に記載の幼児椅子。
【請求項８】
前記上部トレイ（４０）は、トレイ挿入部を受け入れることができるように構成されていることを特徴と請求項６に記載の幼児椅子。
【請求項９】
前記ラッチ部材は、作動されて前記下部トレイ（３２）の側部に係合可能に構成されていることを特徴と請求項７に記載の幼児椅子。
【請求項１０】
前記下部トレイ（３２）は、その前方部分に、前記シート部材（２０）に対して当該下部トレイ（３２）の位置を調節するための位置調節作動機構（５０）を有し、
前記上部トレイ（４０）には、ノッチ部（４２）が形成され、前記位置調節作動機構（５０）の一部が当該上部トレイ（４０）を介して外方に突出することを可能とし、当該上部トレイ（４０）が前記下部トレイ（３２）に取り付けられるときにアクセス可能であることを特徴とする請求項５に記載の幼児椅子。
【発明の詳細な説明】
【技術分野】
【０００１】
本発明は、一般的に子供用の幼児椅子に関し、より詳細には、複数トレイ構造体を組み込みかつローラ部が形成されて幼児椅子の構造体に取り付けることを容易とする支持柱部を有するトレイシステムに関する。
【背景技術】
【０００２】
さまざまな製品は、両親によって使用されており、彼らの子供を位置付けて子供が乳児である期間から子供がテーブルで適切に座るのに十分に年を取りかつ大きくなるまで、子供に食事を与えることを容易にすることに役立っている。このような製品の１つは、幼児椅子であり、これは、主として乳児及び小さい歩き始めの幼児を高い位置で支持するために使用され、面倒を見る人は、容易に子供に食事を与えることができる。幼児椅子は、給食トレイを有する安全かつ安定したシート領域を提供する自立ユニットであって給食トレイが幼児椅子から取外し可能であり幼児椅子への子供の配置を容易にしかつトレイ及び幼児椅子の構造体の清掃を容易にする自立ユニットである。幼児椅子は、高さ調節機構を組み込んでおり、シートは、トレイ機構が幼児椅子から取り外され、幼児椅子に位置付けられている子供がテーブルまで押し上げられるように、垂直方向で位置付けられてさまざまなテーブルの高さに適応させる。
【０００３】
幼児椅子は、さまざまなトレイの選択肢を提供する。いくつかの幼児椅子の構造体には、主として大きな幼児椅子のトレイの下にある小さな軽食用トレイが設けられている。これら軽食用トレイは、幼児椅子のシートに取り付けられており、内外に調節されて異なる子供のサイズに適応する能力を有さない。さらに、軽食用トレイが幼児椅子のシートに直接取り付けられるため、世話をする人は、軽食用トレイまでかつトレイを越えて子供を持ち上げて幼児椅子に子供を座らせるまたは幼児椅子から子供を移動させる必要がある。いくつかの軽食用トレイがツールなしで幼児椅子のシートから取り外せるが、軽食用トレイの取外しは、主として両手を必要とし、軽食用トレイは、幼児椅子にいる子供がテーブルに向けて押し上げられているときのように、通常、幼児椅子が大型トレイを用いずに使用されているときにだけ取り外される。軽食用トレイが主として位置的に調節可能でない一方、大型トレイは、通常軽食用トレイ上に位置的に調節可能である。
【０００４】
商業的に入手可能なごく一部の幼児椅子は、トレイの接続部を嵌め込む柱部を使用しており、トレイには、後方に突出する水平柱部が形成され、水平柱部は、幼児椅子の構造体に形成されたソケット部内に受けられる。柱部及びソケット部のデザインは、幼児椅子のシートに締め付けられるときにトレイが容易に調整され、トレイが幼児椅子の構造体との強固な連結接続を提供して製品の使用中の悪用の極端な例に耐える点で、他のトレイ取付デザインよりも有利である。そうであっても、柱部及びソケット部のデザインは、欠点を有さないのではない。柱部及びソケット部によるトレイ取付デザインは、主として柱部及びソケット部の間の大きな摩擦量やトレイを幼児椅子のシートに接続する前にトレイ調節機構を作動させる必要性に困っている。
【０００５】
摩擦の問題は、主としてトレイ柱部と幼児椅子のソケット部の構成部品とに異なる材料を用いることによって限定的な方法で解決される。異なる材料は、摩擦の問題を軽減する一方、トレイを取り付ける柱部及びソケット部は、トレイ柱部がしばしば拘束したまたは貼り付いたままとなって幼児椅子に対して位置的に調節することが困難なままとなる。世話をする人は、挫折してトレイ全体を取り外すことをおろそかにする。その結果、取外し可能なトレイを有する価値は、世話をする人によって実現されないまたは正当に評価されない。
【０００６】
２つのトレイ装置を有する幼児椅子は、１９９８年９月２２日のロバートハウト(Robert Haut)等によって発行された特許文献１に開示されている。幼児椅子は、幼児椅子の構造体に取り付けられた下部の軽食用トレイであってラッチ機構を介して下部トレイに取り付けられた大型の上部トレイを有する軽食用トレイを有し、ラッチ機構は、下部トレイの側方に係合されている。上部トレイは、下部トレイの取り付けを必要とすることなく下部トレイに位置的に調節可能である。２００２年１２月２４日にピエトロカテリ(Pietro Catelli)に付与された特許文献２には、子供用の幼児椅子のための２つのトレイ装置が開示されている。トレイの上蓋は、トレイに取外し可能に取り付けられている。フック部材は、上部トレイを下部のベーストレイにラッチするように設けられている。フック部材は、幼児椅子のトレイ調節機能のアクチュエータを形成する作動スライドボタンと協働して関連するスライダを有する。
【０００７】
複数トレイ構造体を組み込んだ幼児椅子のトレイシステムであってトレイ構造体が幼児椅子へのトレイの容易な位置付けを可能にしてトレイの使用に改善した柔軟性をもたらすトレイシステムを提供することは望ましい。
【先行技術文献】
【特許文献】
【０００８】
【特許文献１】米国特許第５８１０４３２号明細書
【特許文献２】米国特許第６４９７４５２号明細書
【発明の概要】
【発明が解決しようとする課題】
【０００９】
本発明の目的は、複数トレイ構造体を有する幼児椅子であって支持柱部を有し、ローラ部が支持柱部に取り付けられてトレイ構造体の幼児椅子への係合を容易にする幼児椅子を提供することである。
【００１０】
本発明の他の目的は、ローラ支持部を有する幼児椅子であってローラ支持部が幼児椅子へのトレイの片手での位置付けを容易にする幼児椅子を提供することである。
【課題を解決するための手段】
【００１１】
本発明の特徴は、トレイ柱部がトレイ柱部の先端部においてローラ部を組み込んでいることである。
【００１２】
本発明の他の特徴は、幼児椅子にトレイ柱部を受けるための経路が形成され、経路がローラ部を受け入れてトレイ柱部を幼児椅子の経路内で支持することである。
【００１３】
本発明のさらに他の特徴は、トレイ柱部の端部に取り付けられたローラ部と経路内に取り付けられたローラ部とが幼児椅子構造体内においてトレイ柱部のスライドを容易にすることである。
【００１４】
本発明の有利点は、トレイ構造体が片手で操作されて幼児椅子へのトレイの容易な取り付けを可能とすることである。
【００１５】
本発明のさらに他の特徴は、トレイシステムが作動機構を有し、作動機構が下部の軽食用トレイに組み込まれ、トレイ柱部が軽食用トレイに形成されていることである。
【００１６】
本発明の他の有利点は、トレイシステムの複数のトレイが幼児椅子に対するトレイシステムの位置を制御するために共通の作動機構を使用することである。
【００１７】
本発明のさらに他の有利点は、大型の上部トレイが小型の下部トレイに取り付けられるときに作動制御部がアクセス可能であることである。
【００１８】
本発明のさらに他の目的は、子供用の幼児椅子のための二重トレイ構造体であって上部トレイ及び下部の軽食用トレイ双方の位置調節を可能とする二重トレイ構造体を提供することである。
【００１９】
本発明のさらに他の特徴は、大型の上部トレイが下部トレイであって下部トレイに形成されたトレイ柱部を有する下部トレイにラッチされることである。
【００２０】
本発明のさらに他の特徴は、大型の上部トレイがトレイの構造体にある凹部を組み込んでおり、大型の上部トレイが下部トレイに取り付けられる間に位置調節ボタンがアクセスされることである。
【００２１】
本発明のさらに他の有利点は、下部トレイが大型トレイと共に位置的に調節され、異なるサイズの子供に適合することである。
【００２２】
本発明のさらに他の有利点は、下部トレイが幼児椅子から取り外され、下部トレイを越えて子供を持ち上げる必要なく幼児椅子内へまたは幼児椅子から外へ子供を位置付けることを容易にすることである。
【００２３】
本発明のさらなる有利点は、幼児椅子のためのトレイ及びソケット部のデザインがトレイ柱部及び幼児椅子のソケット部の間の摩擦の問題に苦労することなく使用されることである。
【００２４】
本発明のさらなる有利点は、トレイシステムの位置調節がトレイ柱部と幼児椅子のソケット部との間の貼り付き及び拘束なく達成されることである。
【００２５】
本発明のさらなる特徴は、トレイシステムが位置調節機構の作動を必要とすることなく幼児椅子構造体に取り付けられることである。
【００２６】
本発明のさらに他の目的は、子供の幼児椅子のためのトレイシステムであって、構造的に耐久性を有し、製造が安価であり、維持に心配がなく、組み立てが容易であり、かつ使用が簡単かつ効率的であるトレイシステムを提供することである。
【００２７】
これら及び他の目的、特徴及び有利点は、本発明において複数トレイ構造体を組み込んだトレイシステムが備えられた幼児椅子であって複数トレイ構造体が幼児椅子構造体に対して位置調節可能である幼児椅子を提供することによって達成される。トレイシステムは、後方に延在する水平な柱部であって幼児椅子構造体にある水平に配列されたソケット部内で受けられる柱部が形成された小型の下部トレイを有する。トレイ柱部の先端部には、ローラ部が設けられており、幼児椅子のソケット部は、ローラ部を有し、ソケット部への柱部のスムーズな挿入を提供する。大型の上部トレイは、幼児椅子のソケット部内の運動のためにトレイ柱部を解放することによって、下部トレイと共に位置調節のために下部トレイに取外し可能に取り付けられる。大型トレイには、凹部が形成され、位置調節アクチュエータへのアクセスを可能とする。第３トレイは、大型トレイに支持されており、トレイシステムの清掃を容易にする。
【００２８】
本発明の有利点は、本発明の以下の詳細な開示を考慮すること、特に添付の図面と併せて採用することによって明確になる。
【図面の簡単な説明】
【００２９】
【図１】本発明の原理を組み込んだ幼児椅子を示す前方斜視図である。
【図２】トレイシステムのトレイ柱部及び幼児椅子構造体のソケット部を通る断面図であってトレイシステムを幼児椅子構造体に取り付けることを描写する断面図である。
【図３】幼児椅子構造体から取り外されたトレイシステムを示す断面図である。
【図４】トレイ柱部が備えられたトレイシステムの下部トレイを示す側面図であって下部トレイの部分を破断してトレイ柱部内の構成部品を視認可能とした側面図である。
【図５】下部トレイ、上部トレイ及びトレイ挿入部を有するトレイシステムを示す分解上方斜視図である。
【図６】図５に示すトレイシステムを示す分解下方斜視図である。
【図７】トレイシステムを示す組み立て下方斜視図である。
【図８】下部トレイから取り外された上部トレイを有する下部トレイを示す底面図である。
【図９】位置調節作動機構を示す上方斜視図であって位置調節作動機構のスライド連結部の運動が破線で示される上方斜視図である。
【図１０】トレイシステムを示す側面図であってトレイシステムの部品が破断されて位置調節作動機構の良好な視認を可能とした側面図である。
【発明を実施するための形態】
【００３０】
ここで、図面を参照することで、本発明の原理を組み込んだ幼児椅子は、最もよく示される。一般的な構造体の点から見て、幼児椅子は、幼児椅子構造体１０及び複数トレイシステム３０（以下、同様に「トレイシステム３０」と称する）を有する。幼児椅子構造体１０は、ベース部分１２及びほぼ垂直に延在する直立部分１３であって鋭角でベース部分１２と接触する直立部分１３を有するＺ字状のフレーム１１と、シート部材２０と、を有する。直立部分１３は、伸縮自在脚部１４それぞれを受けるための横方向に間隔のあいた一対のベース脚部１７を有し、伸縮自在脚部１４は、選択的に伸張位置にバネ付勢されており、シート部材２０及びシート部材２０に座らされる子供の重量を相殺する。ベース脚部１７に対する伸縮自在脚部１４の位置は、伸縮自在脚部１４のそれぞれに支持されたアクチュエータ１６を有する高さ調節ラッチ機構１５によって制御される。ベース部分１２には、好ましくはベース部分１２及び直立部分１３のベース脚部１７の間の結合部において１組の固定ホイール１９と、一対のキャスタホイール１８とが備えられており、Ｚ字状のフレーム１１に機動力をもたらす。
【００３１】
Ｚ字状のフレーム１１は、シート部材２０をフレーム１１の上部分で支持する。シート部材２０には、ほぼ水平のシート部分２２が形成されており、シート部分２２は、シート部分２２の２つの横側部においてアームレスト２３を形成する直立側壁部２３と、かつアームレスト２３間の背面においてシートバック２５と、によって囲まれている。シート部材２０の前方は、シート部分２２に座らされている子供の脚を収容するために開口しており、シート部分２２の前端部から下方に延在するフットレスト支持部２４が形成されている。フットレスト支持部２４には、好ましくは垂直に間隔のあいた複数対の水平に方向付けられた取付スロット２６が形成されており、フットレスト２７は、シート部材２０に支持される子供のサイズに応じた選択的な位置付けのために取付スロット２６に挿入される。シート部材２０は、Ｚ字状のフレーム１１によって支持されているが、側壁部２３が好ましくはシート部材２０の後部分に沿ってＺ字状のフレーム１１から間隔をあけて、側壁部２３が好ましくは一方の伸縮自在脚部１４から他方に向けて湾曲するように位置付けられている。
【００３２】
トレイシステム３０は、第１及び第２部材３２、４０、すなわち以下でより詳細に説明されるような幼児椅子構造体１０に取外し可能に取り付けられる小型の下部トレイ３２及び大型の上部トレイ４０と、図５及び図６の拡大図で最もよく示される任意的なトレイ挿入部４７と、の形状をほぼなしている。下部トレイ３２は、この小型トレイが移動中に大型の上部トレイ４０よりも少ない空間を占めるために移動トレイと称され、上部トレイ４０の底面に形成された凹部４１に取り付けられるように形付けられている。上部トレイ４０の底面には、横方向に間隔のあいた一対のラッチ部材４３であって下部トレイ３２の側面に係合するように位置付けられたラッチ部材４３が設けられ、上部トレイ４０が下部トレイ３２の頂部に取り付けられることを可能とする。ラッチ部材４３は、好ましくは上部トレイ４０の底面に沿ってスライド可能であり、外方開放位置及び内方係合位置の間で移動可能である。
【００３３】
ラッチ部材４３は、上部トレイ４０の底面の下方に突出しており、下部トレイ３２の側面部と係合可能であり、下部トレイ３２の上面は、大型の上部トレイ４０を入れ子にする。上部及び下部トレイ４０、３２間の入れ子配置した状態で、上部トレイ４０は、下部トレイ３２の上方に短距離であって上部トレイ４０を形成する材料の厚さとほぼ同等である短距離でのみ位置付けられている。上部トレイ４０が上部トレイ４０を下部トレイ３２に対して移動可能とすることができる位置調節機構を組み込まないため、トレイシステム３０の全体的な垂直方向の高さは、最小化されて片手で操作することが容易となる。
【００３４】
好ましくは、ラッチ機構４３は、内方にある係合位置に向けてバネ付勢されており、世話をする人は、両側にあるラッチ部材４３を握ってラッチ部材４３を外方に押す必要があり、下部トレイ３２の側部の開放に作用しかつ下部トレイ３２からの上部トレイ４０の取外しを可能とする。逆に、各ラッチ部材４３の外形は、ラッチ部材４３の内側部４４に沿って傾けられており、上部トレイ４０は、上部トレイ４０を下部トレイ３２の上方に位置付けしてそれを下部トレイ３２に押圧することによって簡単に下部トレイ３２に取り付けられる。ラッチ部材４３の傾けられた内側部４４は、外方にラッチ部材４３をカム作用させ(cam)、ラッチ部材４３を係合位置に閉じるバネ付勢を用いて下部トレイの両側とのラッチ部材４３の係合を可能とする。
【００３５】
上部トレイ４０の上面４５は、陥没しており、食品及び他の品目を保持する縁のある表面４５を形成する。トレイ挿入部４７は、図５及び図６の拡大図において反射されるように上部トレイ４０の上面４５上に配置され、上部トレイ４０の清掃を容易にする迅速に取外し可能な表面を形成する。トレイ挿入部４７には、トレイ挿入部４７の中央において小さな固定唇部４９を組み込んだ下方に延在する後方出張部４８が形成されている。トレイ挿入部４７は、上部トレイ４０の陥没した上面４５に取り付けられるように形付けられており、トレイ挿入部４７は、上部トレイ４０の側面に沿って下方に延在する後方出張部４８を有し、固定唇部４９は、上部トレイ４０の下方にスナップ係合して上部トレイ上にトレイ挿入部４７を取外し可能に固定する。図５及び図６に示すように、トレイ挿入部４７は、例えばカップのための円形の区画を有して区切られて形成されている。
【００３６】
下部トレイ３２には、横方向に間隔のあいた後方に延在するほぼ水平な一対のトレイ柱部３５が形成されており、各トレイ柱部３５は、アームレスト２３それぞれの下部分に形成されたソケット部２８に収まるように形成されている。各トレイ柱部３５は、柱本体部と第１反摩擦部材３６とを有しており、第１反摩擦部材３６は、この実施形態において、柱本体部の先端部に取り付けられた第１ローラ部３６の形式をなして柱本体部の上面に沿って位置し、第１ローラ部３６は、トレイ柱部３５がソケット部２８内で移動するようにソケット部２８の上面に係合する。さらに、各アームレスト２３のソケット部２８は、図２において最もよく示されるように、ソケット本体部と第２反摩擦部材２９とを有しており、第２反摩擦部材２９は、この実施形態において、ソケット本体部の前端部の近傍にあるソケット本体部の下面においてアームレスト２３の構造体に組み込まれた第２ローラ部２９の形式をなしている。第２ローラ部２９は、トレイ柱部３５それぞれの柱本体部の下面を支持しており、トレイ柱部３５それぞれは、ソケット部２８のソケット本体部内で移動する。トレイ柱部３５の柱本体部の先端部にある第１ローラ部３６とソケット部２８のソケット本体部の前方近傍にある第２ローラ部２９と共に、トレイ柱部３５は、摩擦力に対する不安なく楽にソケット部２８内を移動する。
【００３７】
構造的な観点から、下部トレイ３２は、比較的平坦なトレイ部材３３であってトレイ部材３３の両側に横方向脚部３４を有するトレイ部材３３のように形成されており、横方向脚部３４から後方に延在するトレイ柱部３５の上方にトレイ部材３３を持ち上げる。下部トレイ３２の中央部分には、トレイ部材３３から下方に突出する保持ホーン部材３９が形成されており、トレイシステム３０が幼児椅子構造体１０に取り付けられているときにシート部材２０に配置されている子供の移動を制限する。保持ホーン部材３９は、シート部材２０のシート部分２２に対して下部トレイ３２と共に位置的に調節可能である。さらに、下部トレイ３２が幼児椅子構造体１０から取り外されると、第１及び第２トレイ部材３２、４０と保持ホーン部材３９とのようなシート部分２２に子供を配置することに対するすべての障害は、幼児椅子構造体１０から取り除かれ、子供のシート部分２２への位置付けを容易にする。
【００３８】
第１及び第２ローラ部３６、２９は、第１及び第２ローラ部３６、２９がトレイ柱部３５及びソケット部２８の間の摩擦の問題を本質的に排除する回転面を与えるため、本発明の好ましい実施形態である。しかしながら、第１及び第２ローラ部３６、２９は、本発明の他の実施形態における他の反摩擦部材と置換されうる。例として、第１及び第２ローラ部３６、２９の一方または双方は、ナイロンまたはテフロン（登録商標）のような耐摩擦、低摩擦係数の材料で形成された反摩擦柱部（図示略）であってソケット部２８のソケット本体部の頂部とトレイ柱部３５の底部とに形成された対応する反摩擦溝部（図示略）内をスライドし、トレイ柱部３５及びソケット部２８の間で最小摩擦を有するトレイ柱部３５及びソケット部２８の間に接触点を形成し、トレイ組立体３０の位置付け及び調節を容易にする反摩擦柱部で置換されてもよい。
【００３９】
また、当業者は、トレイ部材（すなわち、下部トレイ３２、上部トレイ４０）とトレイ挿入部４７との重量が横方向脚部３４を介してトレイ柱部３５の柱本体部の前方端部にかかり、トレイ柱部３５がソケット部２８に取り付けられると片持ち梁のように一端が飛び出す配置を形成するため、第１ローラ部３６がトレイ柱部３５それぞれの柱本体部の先端部の頂部に配置され、第２ローラ部２９がアームレスト２３それぞれのソケット部２８のソケット本体部の前方における下面に位置することを理解するだろう。このため、トレイ柱部３５は、ソケット部２８の内部で通常傾いており、各トレイ柱部３５の柱本体部の先端部は、アームレスト２３それぞれのソケット部２８の上面内に向けて押圧され、トレイ柱部３５は、ソケット部２８の下前方面に載る。しかしながら、この配置と共に、トレイ組立体３０の前方部にかかる上向きの力は、ソケット部２８内でのトレイ柱部３５のいくらかの運動を引き起こす。したがって、任意的な第３ローラ部（図示略）は、第２ローラ部２９から後方に間隔のあいた選択位置において各アームレスト２３のソケット部２８のソケット本体部の下面に向けて配置され、トレイ柱部３５それぞれがソケット部２８内に受けられるときにトレイ柱部３５それぞれに追加の支持部を形成する。
【００４０】
操作上、大型の上部トレイ４０を小型の下部トレイ３２への取り付けは、下部トレイ３２が幼児椅子構造体１０に調節可能に取り付けられていると、トレイシステム３０全体がシート部分２２に対して位置的に調節されることを可能とし、異なるサイズの子供に適応する。
位置調節作動機構５０は、以下でより詳細に説明され、ただトレイ柱部３５をソケット部２８と一直線にして位置調節作動機構５０を操作することなく後方を向く力を用いてトレイ柱部３５をソケット部２８に挿入することによって、トレイシステム３０がシート部材２０に取り付けられることを可能とする。したがって、トレイシステム３０は、世話をする人の片手によって幼児椅子構造体１０に配置され、これは、特に子供を保持している世話をする人にとって非常に有利である。さらに、大型の上部トレイ４０の位置が調節可能になるだけでなく、下部トレイ３２の位置が同様に幼児椅子構造体１０に対して調節される。
【００４１】
位置調節作動機構５０は、下部トレイ３２内に収容され、作動部材５２を有し、作動部材５２は、この実施形態において作動ボタン５２の形式をなし、作動部材５２へのアクセスの利便のために下部トレイ３２の前方に位置する。好ましくは、作動ボタン５２は、下部トレイ３２の頂部にある大型の上部トレイ４０の位置付けに適合するのに十分な距離だけ下部トレイ３２から外方に突出し、上部トレイ４０が下部トレイ３２の頂部に位置すると、作動ボタン５２の表面は、上部トレイ４０の前方端部とほぼ揃えられる。上部トレイ４０のこの位置付けを可能とするため、上部トレイ４０には、上部トレイ４０の前方端部において対応するノッチ部４２が形成されており、作動ボタン５２を収容する。
【００４２】
各アームレスト２３のソケット部２８の下面には、長手方向に間隔のあいた一連の開口部が形成されている。ラッチ部材５５は、トレイ柱部３５の先端部においてそれぞれのトレイ柱部３５内に回動可能に取り付けられ、ラッチ部材５５の先端部は、それぞれのトレイ柱部３５から突出しており、ソケット部２８の開口部の１つに収容され、下部トレイ３２が幼児椅子構造体１０のシート部材２０に取り付けられると開口部に係合し、各開口部は、シート部材２０に対するトレイシステム３０の調節位置に対応している。好ましくは、回動されたラッチ部材５５は、スプリング５６によってソケット部２８の開口部と係合するように付勢されており、下部トレイ３２は、能動的動作が始められてラッチ部材５５がソケット部２８の開口部との係合から開放されるまで選択位置で保持される。
【００４３】
ラッチ部材５５をソケット部２８の下面にある開口部との係合から開放することを強制する能動的動作は、船首から船尾への方向におけるスライド運動のためにそれぞれのトレイ柱部３５内でスライド取り付けされた作動腕部５７によってもたらされる。作動腕部５７には、カム端部５８が形成されており、カム端部５８は、ラッチ部材５５と係合し、作動腕部５７が後方にスライドするとスプリング５６によってかけられる付勢力に抗してラッチ部材５５の上方への回動運動を強制するように位置付けられている。作動腕部５７の前方位置には、上方に突出する係合部材５９が形成されている。
【００４４】
作動ボタン５２は、スライド連結部５３の前方に延在する部分であり、スライド連結部５３は、図６〜図９で最もよく示されるように、下部トレイ３２の下方における長手方向のスライド運動のために取り付けられている。スライド連結部５３は、Ｔ字状をなし、係合カップ部５４内で終端する横方向に延在する腕部を有する。各係合カップ部５４は、それぞれのトレイ柱部３５内の作動腕部５７それぞれの係合部材５９を捕捉する。したがって、作動ボタン５２を押下する動作は、スライド連結部５３を下部トレイ３２の下方で後方に移動させ、ひいては、係合カップ部５４の後方への運動に影響を及ぼす。係合部材５９が作動腕部５７それぞれに形成されており、係合カップ部５４内で受けられているため、係合カップ部５４の後方への運動は、作動腕部５７に同様にトレイ柱部３５内での後方へのスライドをもたらし、作動腕部５７のカム端部５８がラッチ部材５５それぞれと係合することを強制し、スプリング５６の付勢力に抗してラッチ部材５５の上方への回動運動をもたらし、ラッチ部材５５の先端部は、アームレスト２３それぞれのソケット部２８にある選択された開口部から係合解除される。
【００４５】
図２において最もよく示されるように、ソケット部２８に隣接する各アームレスト２３の外面は、上方かつ後方に傾斜しており、カム面を形成する。トレイシステム３０を幼児椅子構造体１０のシート部材２０に取り付けるため、各トレイ柱部３５がアームレスト２３それぞれのソケット部２８内に挿入されるように、カム面は、まずラッチ部材５５それぞれの先端部と接触し、そしてラッチ部材５５は、傾斜したカム面と接触することによってスプリング５６の付勢力に抗してトレイ柱部３５内へ回動することが強制され、ラッチ部材５５は、トレイ柱部３５のソケット部２８内への運動を制限しない。したがって、各ラッチ部材５５は、ラッチ部材５５がこの開口部と係合してソケット部２８内のトレイ柱部３５の後方への運動を停止することをスプリング５６が強制するとすぐ、それぞれのトレイ柱部３５内へ後退し、ラッチ部材５５の先端部がアームレスト２３それぞれのソケット部２８にある第１開口部と整列するまで第２ローラ部２９を越えてスライドする。
【００４６】
そして、トレイシステム３０のさらなる後方への運動は、作動ボタン５２を押下してトレイシステム３０の所望の位置付けが達成されるまでラッチ部材５５を後退させることによって達成される。好ましくは、各ラッチ部材５５の先端部の前方側は、四角に区切られており(squared off)、トレイシステム３０にかけられる前方の長手方向の力は、アームレスト２３それぞれのソケット部２８にある選択された開口部との係合からラッチ部材５５の先端部が跳ね上がるカム作用をもたらさない。各ラッチ部材５５の先端部の後方側には、鋭角の後退角が形成されており、後方への長手方向の力がアームレスト２３それぞれのソケット部２８にある選択された開口部との係合からラッチ部材５５を抜け出させることを防止する。このため、トレイ柱部３５それぞれがソケット部２８内へ挿入されることでいったんラッチ部材５５がアームレスト２３それぞれのソケット部２８にある第１開口部と整列されると、位置調節作動機構５０の動作は、トレイシステム３０における船首から船尾への位置を調節するか、それともトレイシステム３０を幼児椅子構造体１０のシート部材２０からの取外しに作用する必要がある。
【符号の説明】
【００４７】
１０  幼児椅子構造体、２０  シート部材、２２  シート部分、２３  アームレスト，直立側壁部，側壁部、２８  ソケット部、２９  第２ローラ部，第２反摩擦部材、３０  トレイシステム，複数トレイシステム，トレイ組立体、３２  第１トレイ部材，下部トレイ，部材、３５  トレイ柱部、３６  第１ローラ部，第１反摩擦部材、３９  保持ホーン部材，保持ホーン部、４０  上部トレイ，第２トレイ部材、４２  ノッチ部、４３  ラッチ機構，ラッチ部材、５０  位置調節作動機構、５２  作動ボタン，作動部材
【図１】
0005524297.tif 000002
【図２】
0005524297.tif 000003
【図３】
0005524297.tif 000004
【図４】
0005524297.tif 000005
【図５】
0005524297.tif 000006
【図６】
0005524297.tif 000007
【図７】
0005524297.tif 000008
【図８】
0005524297.tif 000009
【図９】
0005524297.tif 000010
【図１０】
0005524297.tif 000011